(57)【特許請求の範囲】
【請求項１】
板材の端部を嵌め込む板材嵌込溝とジッパーを嵌め込むジッパー溝とをゴム本体に形成したジッパーガスケットの前記ゴム本体を建物側に取り付ける建築用ジッパーガスケットの取付構造であって、
前記ジッパーガスケットの直線部は、前記ゴム本体に一体に形成された被取付部が建物側の取付部に嵌合されて固定され、
一方、前記ジッパーガスケットのコーナー部は、ゴム本体に一体に埋め込まれた締結部材を介して前記建物側に固定されている建築用ジッパーガスケットの取付構造。
【請求項２】
板材の端部を嵌め込む板材嵌込溝とジッパーを嵌め込むジッパー溝とをゴム本体に形成したジッパーガスケットの前記ゴム本体を建物側に取り付ける建築用ジッパーガスケットの取付構造であって、
前記ジッパーガスケットの直線部は、前記ゴム本体に一体に形成された被取付部が建物側の取付部に嵌合されて固定され、
一方、前記ジッパーガスケットのコーナー部は、ゴム本体に一体に埋め込まれた係合部材と締結部材を介して前記建物側に固定されている建築用ジッパーガスケットの取付構造。
【請求項３】
請求項１もしくは２において、
前記締結部材または係合部材におけるジッパー側がゴム本体で包まれている建築用ジッパーガスケットの取付構造。
【発明の詳細な説明】
【０００１】
【発明の属する技術分野】
本発明は、建築物においてガラス板や外壁板のような板材を固定するための建築用ジッパーガスケットの取付構造に関する。
【０００２】
【従来の技術】
従来より、図１０に示すように、ガラス板（板材）１の端部１０を嵌め込む板材嵌込溝２１を有するゴム本体２０とジッパー２２とからなるジッパーガスケット２が知られている（たとえば、実開平６−４７５７０号公報）。該ジッパーガスケット２は、ゴム本体２０のジッパー溝２３にジッパー２２を嵌め込むことで、ゴム本体２０における板材嵌込溝２１の近傍部分２４をガラス板１の側面に押し付けて、ガラス板１の端部をシールする。
【０００３】
前記ジッパーガスケット２は、図１１（ａ），（ｂ）のような建物側の取付金物（取付部）３０に取り付けられるのであるが、これらの図に示すように、コーナー部Ｃには取付金物３０を設けられない場合があるため、以下に説明するように、該コーナー部Ｃにおけるシール性が低下する。
コーナー部以外の直線部Ｓでは、図１０に示すように、ジッパーガスケット２のゴム本体２０に被取付部２５が一体に形成されており、該被取付部２５が前記取付金物３０にゴム弾性により嵌合して、ジッパーガスケット２が建物側に固定されている。しかし、コーナー部では、ゴム本体２０が建物側に固定されておらず、そのため、ジッパーガスケット２が図１０の上方に浮き上がって板材嵌込溝２１の近傍部分２４が十分にガラス板１に押し付けられず、シール性が低下する。
【０００４】
また、図１２に示すように、ジッパーガスケット２は枠状に形成されているのであるが、直線部Ｓとコーナー部Ｃとを比較すると、コーナー部Ｃでは、ジッパー２２からゴム本体２０の端までの距離Ｄが長く、そのため、シール性が低い。
【０００５】
さらに、引張応力が働いた状態でゴムを用いるとゴムの経時的劣化を招くので、ジッパーガスケット２を、予め、５／１０００〜８／１０００程度長く形成して、該ジッパーガスケット２を軸方向（長手方向）に圧縮して取り付けている。そのため、コーナー部Ｃにおいては、二点鎖線で示すように、ジッパーガスケット２が歪み、その結果、見栄えが悪くなる上、シール性が一層低下する原因となる。
【０００６】
ところで、図９のようなボルト１００を多数用いてジッパーガスケット２を建物側に固定した取付構造が提案されている（たとえば、特開平４−１１５０７５号）。この取付構造によれば、コーナー部の固定が可能である。
【０００７】
しかし、かかる従来の取付構造では、直線部およびコーナー部の双方をボルト１００で固定するから、直線部にも所定のピッチでボルト挿通孔１０１を設ける必要があり、そのため、押出成形される直線部に、ボルト挿通孔１０１を機械加工で設ける必要がある。したがって、ジッパーガスケット２の製造性が低下する。
【０００８】
また、補強用の長い金属板１０２を設ける必要があり、一方、前述のように、ジッパーガスケット２を予め長く作っておくので、ジッパーガスケット２のボルト挿通孔１０１と、金属板１０２のボルト挿通孔１０３のピッチが合わないから、施工性が著しく低下する。
【０００９】
さらに、ボルト１００をジッパー２２側から挿入するので、雨水がジッパー溝２３およびボルト挿通孔１０１などを介して建物内に浸入するおそれがある。
【００１０】
したがって、本発明の主目的は、ジッパーガスケットの取付構造を改良することで、ジッパーガスケットのコーナー部のシール性を向上させることである。
【００１１】
【課題を解決するための手段】
前記目的を達成するための本発明の構成を図１および図２を用いて説明する。
ジッパーガスケット２の直線部は、従来と同様に、ゴム本体２０に一体に形成された被取付部２５が、図示しない建物側の取付部に嵌合されて固定される。一方、ゴム本体２０のコーナー部Ｃは、ゴム本体２０に一体に埋め込まれた（インサートされた）締結部材（ナット）３およびボルト４を介して建物側に固定される。
本発明において、直線部Ｓとはジッパーガスケット２自体が交差していない部分（非交差部）をいい、コーナー部Ｃとはジッパーガスケット２自体が交差している部分（交差部）をいう。
【００１２】
本発明によれば、コーナー部Ｃが締結部材３により建物側に固定されるので、コーナー部のシール性が向上する。
なお、締結部材３におけるジッパー２２側は、図２に示すように、ゴム本体２０で包まれているのが好ましい。
【００１３】
【発明の実施の形態】
以下、本発明の実施形態を図面にしたがって説明する。
ジッパーガスケット２の直線部Ｓの取付構造は、前述の図１０の従来例と同様であり、したがって主に、コーナー部Ｃについて説明する。
【００１４】
図３はコーナー部Ｃの取付構造を示す。
図３において、コーナー部Ｃのゴム本体２０には、ゴム本体２０の成形時にナット（締結部材）３が一体に埋め込まれている（インサートされている）と共に、ボルト４の挿通孔２６が形成されている。前記ナット３には、ボルト４がねじ込まれており、該ボルト４が建物側の挿通孔５に挿通していることにより、コーナー部Ｃのジッパーガスケット２が建物側に固定されている。なお、前記ナット３は、図４の各コーナー部Ｃに設けられている。また、コーナー部Ｃおよびコーナー部Ｃの近傍部分はプレス成型され、一方、直線部Ｓは押出成型され、両部分を加硫接着して枠状のジッパーガスケット２が形成される。
【００１５】
本取付構造によれば、図３のボルト４およびナット３によりコーナー部Ｃについても、ジッパーガスケット２を建物側に引っ張っておくことができるから、ジッパーガスケット２が図３の上方に浮き上がるのを防止し得る。したがって、コーナー部Ｃのシール性が向上する。
【００１６】
また、図４の各コーナー部Ｃは締結部材３，４（図３）を介して固定されるので、ジッパーガスケット２の位置決めを容易に行うことができると共に、図１２において二点鎖線で示すように、ジッパーガスケット２が歪むおそれもない。したがって、施工性が向上すると共に見栄えも良くなる。
【００１７】
また、図３のボルト４の挿通孔２６は、プレス成型するコーナー部Ｃについてのみ設けられ、図４の直線部Ｓについては設ける必要がないので、図９の従来例のように、機械加工を必要とせず、また、補強用の金属板１０２とピッチを合わせる必要もないので、製造性、施工性が向上する。
また、図３のナット３のジッパー２２側がゴム本体２０によって包まれているから、ジッパー２２側から雨水が建物内に浸入するおそれもない。
【００１８】
本発明において、ゴム本体２０に一体に埋め込む締結部材（インサート）は、図５（ａ），（ｂ）のように、フクロナット３Ａや座付ナット３Ｂとしてもよい。また、図６（ａ）のように、ボルト４の頭部４ａをゴムの成形時に一体に埋め込んでもよい。また、図６（ｂ）のように、ボルト４Ａの頭部４ａの形状は問わない。更に、図６（ａ），（ｂ）のようにロックナット３Ｃを設けてもよい。
【００１９】
また、本発明では、締結部材自体を埋め込む必要はなく、図７のように、金属製の係合部材（係合金物）６の一部を埋め込んでもよい。係合部材６はボルト４の軸方向および回転方向にゴム本体２０に係合するものであればよく、図７（ａ）のように、ナット３Ｄを溶着（溶接）しておいてもよいし、図７（ｂ）のようにナットＥを係合部材６内に挿入できる構造としてもよい。なお、図７（ｂ）の場合、係合部材６の一組の対片６ａがナット３Ｅの回り止めを構成する。
【００２０】
また、本発明における直線部Ｓの取付構造は、図８のようにゴム本体２０に形成した溝（被取付部）２５に取付金物３０を嵌め込むものであってもよい。また、図２，図５ないし図７のように、コーナー部Ｃにはジッパーがなくてもよい。
【００２１】
【発明の効果】
以上説明したように、本発明によれば、ジッパーガスケットの直線部（非交差部）については従来の一般的な取付構造とし、一方、コーナー部（交差部）についてはゴム本体に埋め込んだインサートを介して建物側に締結するので、コーナー部の固定力も大きくなる。したがって、コーナー部のシール性が向上する。
また、前記コーナー部の取付構造を利用してジッパーガスケットの位置決めを行うことにより位置決めが容易になると共に、コーナー部が歪むなどの不具合もない。
さらに、インサートであるから締結部材等をゴム本体内に包み込むことができるから、インサートの部分から雨水等が浸入するおそれもない。
【図面の簡単な説明】
【図１】本発明の第１実施形態にかかるジッパーガスケットの屋内側の斜視図である。
【図２】同屋外側の斜視図である。
【図３】第２実施形態にかかるコーナー部の取付構造を示す断面図である。
【図４】ジッパーガスケットの屋外側からの正面図である。
【図５】第３実施形態にかかるジッパーガスケットのコーナー部の断面図である。
【図６】第４実施形態にかかるジッパーガスケットのコーナー部の断面図である。
【図７】第５実施形態にかかるジッパーガスケットのコーナー部の断面図である。
【図８】直線部の取付構造の一例を示す断面図である。
【図９】従来例を示す断面図である。
【図１０】直線部の一般的な取付構造を示す断面図である。
【図１１】建物側の取付部の構造を示す斜視図である。
【図１２】従来のジッパーガスケットの正面図である。
【符号の説明】
１：板材
２：ジッパーガスケット
２０：ゴム本体
２１：板材嵌込溝
２２：ジッパー
２３：ジッパー溝
２５：被取付部
３：ナット
４：ボルト
【図１】
0003589829.tif 000002
【図２】
0003589829.tif 000003
【図３】
0003589829.tif 000004
【図４】
0003589829.tif 000005
【図５】
0003589829.tif 000006
【図６】
0003589829.tif 000007
【図７】
0003589829.tif 000008
【図８】
0003589829.tif 000009
【図９】
0003589829.tif 000010
【図１０】
0003589829.tif 000011
【図１１】
0003589829.tif 000012
【図１２】
0003589829.tif 000013